(57)【要約】【課題】杭と基礎梁の仕口部において梁主筋の配筋を容易にする。【解決手段】杭と基礎梁の接合構造における柱梁接合部１０は、横方向に配筋される基礎梁１４の梁主筋１６と、基礎梁１４を支持する杭１２から立ち上げられ、梁主筋１６と交差する位置において、梁主筋１６が配筋される範囲には立上げ本数を疎に、梁主筋１６が配筋されない範囲には立ち上げ本数を密に配筋された杭主筋１８と、杭主筋１８の周囲を囲む帯筋２０と、を有している。【選択図】図１
2015094078.tif 000002
【特許請求の範囲】
【請求項１】
横方向に配筋される基礎梁の梁主筋と、
前記基礎梁を支持する杭から立ち上げられ、前記梁主筋と交差する位置において、前記梁主筋が配筋される範囲には立上げ本数を疎に、前記梁主筋が配筋されない範囲には立ち上げ本数を密に配筋された杭主筋と、
前記杭主筋の周囲を囲む帯筋と、
を有する杭と基礎梁の接合構造。
【請求項２】
前記杭主筋は、４つの疎の配筋部と４つの密の配筋部を有し、平面視において、前記疎の配筋部と前記密の配筋部を八角形の各辺に交互に配置した構成とされ、
前記帯筋は、前記杭主筋の周囲を囲んで、前記杭主筋と結束される八角形の第１帯筋、
又は、対向する２つの密の前記配筋部を囲んで、前記杭主筋と結束される矩形状の第２帯筋、及び、残りの対向する２つの密の前記配筋部を囲んで、前記杭主筋と結束される矩形状の第３帯筋である請求項１に記載の杭と基礎梁の接合構造。
【請求項３】
横方向に配筋される基礎梁の梁主筋と、
前記基礎梁を支持する杭から立ち上げられ、前記杭の杭主筋へ力を伝達し、前記梁主筋と交差する位置において、前記梁主筋が配筋される範囲には立上げ本数を疎に、前記梁主筋が配筋されない範囲には立ち上げ本数を密に配筋された杭頭主筋と、
前記杭頭主筋の周囲を囲む帯筋と、
を有する杭と基礎梁の接合構造。
【請求項４】
前記杭頭主筋は、４つの疎の配筋部と４つの密の配筋部を有し、平面視において、前記疎の配筋部と前記密の配筋部を八角形の各辺に交互に配置した構成とされ、
前記帯筋は、前記杭頭主筋の周囲を囲んで、前記杭頭主筋と結束される八角形の第１帯筋、
又は、対向する２つの密の前記配筋部を囲んで前記杭頭主筋と結束される矩形状の第２帯筋、及び、残りの対向する２つの密の前記配筋部を囲んで前記杭頭主筋と結束される矩形状の第３帯筋である請求項３に記載の杭と基礎梁の接合構造。
【発明の詳細な説明】
【技術分野】
【０００１】
本発明は、杭と基礎梁の接合構造に関する。
【背景技術】
【０００２】
従来の場所打ちコンクリート杭の杭主筋は、円周上に等間隔に配置されていた。このため、側面視においては、杭の中心から離れるに従い杭主筋の間隔が密となる。この結果、基礎梁の梁主筋を横方向へ通す際に、杭の中心から離れた位置では、梁主筋が杭主筋に当たり配筋しづらかった。
ここに、基礎梁と基礎スラブの接合時に、基礎梁の配筋が、杭頭部において複雑にならないようにする技術が提案されている（特許文献１）。
【０００３】
特許文献１には、杭頭部に鋼管杭を用いる場合において、鋼管杭の上部にひげ筋（定着筋）取付け用の穴を形成し、穴に、Ｕ字形に形成したひげ筋を取付ける技術が記載されている。ひげ筋は、穴を通過させることで、鋼管杭の内側と外側に対で取り付けることができる。このとき、ひげ筋の設置間隔を調整し、基礎梁（地中梁）の配筋場所を避けた位置に予め移動させておくことで、地中梁の主筋を配筋するための空間を確保し、配筋位置が複雑になるのを防止している。
【先行技術文献】
【特許文献】
【０００４】
【特許文献１】特開２００６−５２５５０号公報
【発明の概要】
【発明が解決しようとする課題】
【０００５】
しかし、特許文献１は、ひげ筋の設置間隔は調整しているものの、鋼管杭の内部に配筋された杭主筋の間隔は調整していない。即ち、杭主筋は、鋼管杭の内部で円周上に等間隔に配筋された状態で立ち上げられる。このため、梁主筋が通る場所で、杭主筋と梁主筋が錯綜し、杭主筋の位置に梁主筋を通す際の配筋のしづらさは解消されていない。
【０００６】
本発明は、上記事実に鑑み、杭と基礎梁の仕口部において梁主筋の配筋を容易にすることを目的とする。
【課題を解決するための手段】
【０００７】
請求項１に記載の発明に係る杭と基礎梁の接合構造は、横方向に配筋される基礎梁の梁主筋と、前記基礎梁を支持する杭から立ち上げられ、前記梁主筋と交差する位置において、前記梁主筋が配筋される範囲には立上げ本数を疎に、前記梁主筋が配筋されない範囲には立ち上げ本数を密に配筋された杭主筋と、前記杭主筋の周囲を囲む帯筋と、を有することを特徴としている。
【０００８】
請求項１に記載の発明によれば、梁主筋が横方向に配筋される範囲では杭主筋の立上げ本数が疎にされ、その他の範囲では、杭主筋の立上げ本数が密にされている。また、杭主筋の周囲を囲む帯筋により、杭主筋の位置が維持される。
これにより、杭主筋が疎に配置された範囲に梁主筋を配筋することができ、梁主筋と杭主筋との錯綜が抑制され、梁主筋の配筋が容易になる。この結果、杭と基礎梁の接合が容易となる。このとき、杭主筋の総本数は、従来の円周上に等間隔に配置した場合と同数であり、杭と基礎梁の接合部の強度が低下することはない。
【０００９】
請求項２に記載の発明は、請求項１に記載の杭と基礎梁の接合構造において、前記杭主筋は、４つの疎の配筋部と４つの密の配筋部を有し、平面視において、前記疎の配筋部と前記密の配筋部を八角形の各辺に交互に配置した構成とされ、前記帯筋は、前記杭主筋の周囲を囲んで前記杭主筋と結束される八角形の第１帯筋、又は、対向する２つの密の前記配筋部を囲んで前記杭主筋と結束される矩形状の第２帯筋、及び、残りの対向する２つの密の前記配筋部を囲んで前記杭主筋と結束される矩形状の第３帯筋であることを特徴としている。
【００１０】
請求項２に記載の発明によれば、杭主筋の４つの疎の配筋部と４つの密の配筋部は、平面視において、八角形の各辺に交互に配置されている。即ち、疎の配筋部と密の配筋部が２組ずつ対向し、対向する２組が互いに交差する方向に配置されている。この状態において、杭主筋の周囲が第１帯筋により八角形に囲まれ、杭主筋と第１帯筋が結束される。
これにより、梁主筋のＸ方向、及びＸ方向と交差するＹ方向と、杭主筋の疎の配筋部を交差させることができる。この結果、梁主筋と杭主筋の錯綜が抑制され、梁主筋の配筋が容易になる。
【００１１】
又は、４つの疎の配筋部と４つの密の配筋部が、対向して配置されている状態において、杭主筋の周囲は、第２帯筋により、対向する２つの密の配筋部が矩形状に囲まれ、杭主筋と結束される。また、第３帯筋により、残りの対向する２つの密の配筋部が矩形状に囲まれ、杭主筋と結束される。
これにより、梁主筋のＸ方向及びＹ方向と、第２帯筋及び第３帯筋の長手方向と４５度傾いた２方向を、それぞれ疎の配筋部に一致させることができる。この結果、梁主筋と杭主筋の錯綜が抑制され、梁主筋の配筋が容易になる。
【００１２】
請求項３に記載の発明に係る杭と基礎梁の接合構造は、横方向に配筋される基礎梁の梁主筋と、前記基礎梁を支持する杭から立ち上げられ、前記杭の杭主筋へ力を伝達し、前記梁主筋と交差する位置において、前記梁主筋が配筋される範囲には立上げ本数を疎に、前記梁主筋が配筋されない範囲には立ち上げ本数を密に配筋された杭頭主筋と、前記杭頭主筋の周囲を囲む帯筋と、を有することを特徴としている。
【００１３】
請求項３に記載の発明によれば、梁主筋が横方向に配筋される範囲では杭頭主筋の立上げ本数を疎にし、その他の範囲では、杭頭主筋の立上げ本数を密にしている。また、杭頭主筋の周囲を囲む帯筋により、杭頭主筋の位置が維持される。
これにより、杭頭主筋が疎に配置された範囲に梁主筋を配筋することで、梁主筋と杭頭主筋との錯綜が抑制され、梁主筋の配筋が容易になる。この結果、杭と基礎梁の接合が容易となる。このとき、杭頭主筋の総本数は、従来の円周上に均等に配置した場合と同数であり、杭と基礎梁の接合部の強度が低下することはない。
【００１４】
請求項４に記載の発明は、請求項３に記載の杭と基礎梁の接合構造において、前記杭頭主筋は、４つの疎の配筋部と４つの密の配筋部を有し、平面視において、前記疎の配筋部と前記密の配筋部を八角形の各辺に交互に配置した構成とされ、前記帯筋は、前記杭頭主筋の周囲を囲んで前記杭頭主筋と結束される八角形の第１帯筋、又は、対向する２つの密の配筋部を囲んで前記杭頭主筋と結束される矩形状の第２帯筋、及び、残りの対向する２つの密の配筋部を囲んで前記杭頭主筋と結束される矩形状の第３帯筋であることを特徴としている。
【００１５】
請求項４に記載の発明によれば、杭頭主筋の４つの疎の配筋部と４つの密の配筋部は、平面視において、八角形の各辺に交互に配置されている。即ち、疎の配筋部と密の配筋部が２組ずつ対向し、対向する２組が互いに交差する方向に配置されている。この状態において、杭頭主筋の周囲は、第１帯筋により八角形に囲まれ、杭主筋と第１帯筋が結束される。
これにより、梁主筋のＸ方向及びＹ方向と、杭頭主筋の疎の配筋部を交差させることができる。この結果、梁主筋と杭頭主筋の錯綜が抑制され、梁主筋の配筋が容易になる。
【００１６】
又は、４つの疎の配筋部と４つの密の配筋部が、対向して配置されている状態において、杭頭主筋は、第２帯筋により、対向する２つの密の配筋部が矩形状に囲まれ、第２帯筋と杭頭主筋が結束される。また、第３帯筋により、残りの対向する２つの密の配筋部が矩形状に囲まれ、第３帯筋と杭頭主筋が結束される。
これにより、梁主筋のＸ方向、及びＸ方向と交差するＹ方向と、第２帯筋及び第３帯筋の長手方向と４５度傾いた２方向を、それぞれ疎の配筋部に一致させることができる。この結果、梁主筋と杭頭主筋の錯綜が抑制され、梁主筋の配筋が容易になる。
【発明の効果】
【００１７】
本発明は、上記構成としてあるので、杭と基礎梁の仕口部において梁主筋の配筋を容易にすることができる。
【図面の簡単な説明】
【００１８】
【図１】（Ａ）は本発明の第１実施形態に係る杭と基礎梁の接合構造の基本構成を模式的に示す正面図であり、（Ｂ）は図１（Ａ）のＨ１−Ｈ１線断面図である。
【図２】（Ａ）は本発明の第１実施形態に係る杭と基礎梁の接合構造を示す図１（Ａ）のＨ２−Ｈ２線断面図であり、（Ｂ）は本発明の第２実施形態に係る杭と基礎梁の接合構造を示す図１（Ａ）のＨ２−Ｈ２線断面図である。
【図３】（Ａ）は本発明の第３実施形態に係る杭と基礎梁の接合構造の基本構成を模式的に示す正面図であり、（Ｂ）は図３（Ａ）のＨ２−Ｈ２線断面図であり、（Ｃ）は図３（Ａ）のＨ１−Ｈ１線断面図である。
【図４】（Ａ）は本発明の第４実施形態に係る杭と基礎梁の接合構造の基本構成を模式的に示す縦方向断面図であり、（Ｂ）は図４（Ａ）のＨ２−Ｈ２線断面図であり、（Ｃ）は図４（Ａ）のＨ１−Ｈ１線断面図である。
【発明を実施するための形態】
【００１９】
（第１実施形態）
本発明の第１実施形態に係る杭と基礎梁の接合構造について図１、２を用いて説明する。ここに、図１（Ａ）は杭と基礎梁の接合構造を模式的に示す正面図であり、図１（Ｂ）は、そのＨ１−Ｈ１線断面図であり、図２（Ａ）はそのＨ２−Ｈ２線断面図である。
【００２０】
図１（Ａ）に示すように、杭と基礎梁の接合構造における杭梁仕口部１０は、杭１２と、杭１２に支持される基礎梁１４の仕口部であり、基礎梁１４には、横方向に梁主筋１６が配筋され、杭１２には、縦方向に杭主筋１８が配筋され、杭主筋１８と梁主筋１６が交差して配筋される。
【００２１】
ここに、基礎梁１４は、図示しない建物の基礎を構成する鉄筋コンクリート梁であり、基礎梁１４の内部の上部と下部には、梁主筋１６が横方向に配筋される。また、基礎梁１４の方向をＸ方向とした場合、Ｘ方向と交差するＹ方向にも、一般的に基礎梁が構築され、梁主筋１７が横方向に配筋される（図２（Ａ）参照）。
【００２２】
杭１２は、基礎梁１４を支持する現場打ちの鉄筋コンクリート杭であり、掘削された地盤２８にコンクリート２６を打設して構築される。杭１２の内部には、杭主筋１８が配筋されている。
図１（Ｂ）に示すように、杭主筋１８は、４つの疎の配筋部１８Ｓ１、１８Ｓ２、１８Ｓ３、１８Ｓ４（以下、１８Ｓ１〜１８Ｓ４と記す。）と、４つの密の配筋部１８Ｍ１、１８Ｍ２、１８Ｍ３、１８Ｍ４（以下、１８Ｍ１〜１８Ｍ４と記す。）と、を有している。杭主筋１８は、平面視において、疎の配筋部１８Ｓ１〜１８Ｓ４と、密の配筋部１８Ｍ１〜１８Ｍ４を、八角形の各辺に交互に配置した構成とされている。
【００２３】
これにより、対向する疎の第１配筋部１８Ｓ１と、疎の第１配筋部１８Ｓ３（以下、疎の第１配筋部１８Ｓ１、１８Ｓ３と記す。）が交差して配置され、疎の第２配筋部１８Ｓ２と、疎の第２配筋部１８Ｓ４（以下、疎の第２配筋部１８Ｓ２、１８Ｓ４と記す。）が交差して配置される。また、対向する密の第１配筋部１８Ｍ１と、密の第１配筋部１８Ｍ３（以下、密の第１配筋部１８Ｍ１、１８Ｍ３と記す。）が交差して配置され、密の第２配筋部１８Ｍ２と、密の第２配筋部１８Ｍ４（以下、密の第２配筋部１８Ｍ２、１８Ｍ４と記す。）が交差して配置される。
また、杭主筋１８の周囲は帯筋（第１帯筋）２０で八角形に囲まれ、杭主筋１８と帯筋２０が結束されている。
【００２４】
図２（Ａ）は、杭梁仕口部１０の配筋部を示している。八角形に配置された杭主筋１８において、対向する疎の第１配筋部１８Ｓ１、１８Ｓ３をＸ方向に向けて配置し、対向する疎の第２配筋部１８Ｓ２、１８Ｓ４をＹ方向に向けて配置している。
これにより、基礎梁１４の梁主筋１６をＸ方向に配筋し、基礎梁１４と交差する基礎梁の梁主筋１７を、Ｙ方向に配筋すれば、梁主筋１６、１７と杭主筋１８との錯綜が抑制され、杭１２と基礎梁１４の接合が容易となる。
【００２５】
このとき、杭主筋１８の総本数は、従来の円周上に等間隔で配筋の場合と変わらないので、杭１２と基礎梁１４の接合部の強度が低下することはない。
なお、疎の配筋部１８Ｓ１〜１８Ｓ４は、全く配筋されない状態（杭主筋０本）を図示したが、これに限定されることはなく、杭主筋１８の立ち上がり本数が疎であればよく、例えば、従来の円周上に等間隔で配筋した場合よりも、配筋本数が少なければ疎としてもよい。
【００２６】
また、本実施形態では、杭主筋１８は、４つの疎の配筋部１８Ｓ１〜１８Ｓ４と、４つの密の配筋部１８Ｍ１〜１８Ｍ４を有し、平面視において、疎の配筋部１８Ｓ１〜１８Ｓ４と密の配筋部１８Ｍ１〜１８Ｍ４を、八角形の各辺に交互に配置した構成で説明した。しかし、これに限定されることはなく、他の多角形としてもよい。
例えば四角形の場合には、杭主筋は、２つの疎の配筋部と、２つの密の配筋部を有し、平面視において、疎の配筋部と密の配筋部を、四角形の各辺に交互に配置した構成となる（図示省略）。また、杭主筋１８の周囲は帯筋（第１帯筋）で四角形に囲まれ、杭主筋１８と帯筋が結束される。
【００２７】
（第２実施形態）
本発明の第２実施形態に係る杭と基礎梁の接合構造における杭梁仕口部３０について、図２（Ｂ）を用いて説明する。
杭梁仕口部３０は、第１実施形態で説明した杭梁仕口部１０と、杭主筋１８の周囲を囲む帯筋の経路を、帯筋（第２帯筋）２２、帯筋（第３帯筋）２３の２経路に分けた点において相違する。相違点を中心に説明する。
【００２８】
図２（Ｂ）に示すように、杭主筋１８は、杭梁仕口部１０と同様に、４つの疎の配筋部１８Ｓ１〜１８Ｓ４と、４つの密の配筋部１８Ｍ１〜１８Ｍ４に配筋され、平面視において、疎の配筋部１８Ｓ１〜１８Ｓ４と、密の配筋部１８Ｍ１〜１８Ｍ４が、八角形の各辺に交互に配置されている。
【００２９】
このとき、対向する密の第１配筋部１８Ｍ１、１８Ｍ３、及び密の第２配筋部１８Ｍ２、１８Ｍ４が交差して配置され、帯筋２２で、密の第１配筋部１８Ｍ１、１８Ｍ３が矩形状に囲まれて結束される。また、帯筋２３で、密の第２配筋部１８Ｍ２、１８Ｍ４が矩形状に囲まれて結束される。
このとき、密の第１配筋部１８Ｍ１、１８Ｍ３、及び密の第２配筋部１８Ｍ２、１８Ｍ４の長手方向と４５度傾いた２方向が、それぞれ、疎の第１配筋部１８Ｓ１、１８Ｓ３、及び疎の第２配筋部１８Ｓ２、１８Ｓ４となる。
【００３０】
これにより、疎の第１配筋部１８Ｓ１、１８Ｓ３をＸ方向に配置し、疎の第２配筋部１８Ｓ２と１８Ｓ４をＹ方向に配置し、基礎梁１４の梁主筋１６をＸ方向に配筋し、基礎梁１４と交差する基礎梁の梁主筋１７をＹ方向に配筋すれば、梁主筋１６、１７と杭主筋１８との錯綜が抑制され、杭と基礎梁の接合が容易となる。
他の構成は第１実施形態と同じであり、説明は省略する。
【００３１】
（第３実施形態）
本発明の第３実施形態に係る杭と基礎梁の接合構造における杭梁仕口部４０について、図３を用いて説明する。
杭梁仕口部４０は、第１実施形態の杭梁仕口部１０で説明した杭主筋１８を、杭頭主筋４２とした点において相違する。相違点を中心に説明する。
ここに、図３（Ａ）は杭梁仕口部４０の基本構成を模式的に示す正面図であり、（Ｂ）はそのＨ２−Ｈ２線断面図であり、（Ｃ）はＨ１−Ｈ１線断面図である。
【００３２】
杭梁仕口部４０は、横方向に配筋される基礎梁１４の梁主筋１６と、基礎梁１４を支持する杭４４から立ち上げられた杭頭主筋４２と、杭頭主筋４２の周囲を囲む帯筋２０と、を有している。
【００３３】
ここに、杭頭主筋４２は、杭４４の頭部（杭主筋１８の上）に配筋され、杭頭主筋４２の下端部と杭主筋４６の上端部は、平面視において互いに重なる位置に配置され  重なり部で接合されている。これにより、梁１４から杭４４へ加えられた力は、コンクリート２６、及び杭頭主筋４２から杭主筋４６を経て、杭４４から地盤２６へ伝達される。
杭頭主筋４２は、梁主筋１６と交差する位置において、梁主筋１６が配筋される範囲には立上げ本数を疎に、前記梁主筋が配筋されない範囲には立ち上げ本数を密に配筋されている。なお、図３（Ｃ）に示すように、本実施形態では、杭主筋４６は円周上に等間隔に配筋されている。
【００３４】
図３（Ｂ）に示すように、杭頭主筋４２は、４つの疎の配筋部４２Ｓ１〜４２Ｓ４と、４つの密の配筋部４２Ｍ１〜４２Ｍ４と、を有している。また、杭頭主筋４２は、平面視において、疎の配筋部４２Ｓ１〜４２Ｓ４と、密の配筋部４２Ｍ１〜４２Ｍ４と、を八角形の各辺に交互に配置した構成とされている。
【００３５】
これにより、対向する疎の第１配筋部４２Ｓ１、４２Ｓ３、及び疎の第２配筋部４２Ｓ２、４２Ｓ４が交差して配置され、対向する密の第１配筋部４２Ｍ１、４２Ｍ３と、密の第２配筋部４２Ｍ２、４２Ｍ４が交差して配置される。
また、杭主筋１８の周囲は、帯筋２０で八角形に囲まれ、杭主筋１８と帯筋２０が結束される。
【００３６】
また、八角形に配置された杭頭主筋４２は、対向する疎の第１配筋部４２Ｓ１、４２Ｓ３がＸ方向に配置され、対向する疎の第２配筋部４２Ｓ２、４２Ｓ４がＹ方向に配置されている。
これにより、基礎梁１４の梁主筋１６をＸ方向に配筋し、基礎梁１４と交差する基礎梁の梁主筋１７を、Ｙ方向に配筋すれば、梁主筋１６、１７と杭頭主筋４２との錯綜が抑制され、杭４４と基礎梁１４の接合が容易となる。
【００３７】
なお、本実施形態においては、杭頭主筋４２は、杭頭主筋４２の周囲が帯筋２０で八角形に囲まれ、杭主筋１８と帯筋２０が結束された構成で説明したが、これに限定されることはなく、第２実施形態で説明した構成としてもよい。
【００３８】
即ち、図２（Ｂ）に示すように、杭頭主筋４２の周囲を囲む帯筋の経路を、帯筋２２、２３の２経路に分けてもよい。これにより、密の第１配筋部４２Ｍ１、４２Ｍ３、及び密の第２配筋部４２Ｍ２、４２Ｍ４の長手方向と、４５度傾いた２方向が、それぞれ、疎の第１配筋部４２Ｓ１、４２Ｓ３、及び疎の第２配筋部４２Ｓ２、４２Ｓ４となる。
【００３９】
これにより、疎の第１配筋部４２Ｓ１、４２Ｓ３がＸ方向に配筋され、疎の第２配筋部４２Ｓ２、４２Ｓ４がＹ方向に配筋されれば、基礎梁１４の梁主筋１６をＸ方向に配筋し、基礎梁１４と交差する基礎梁の梁主筋１７を、Ｙ方向に配筋することで、梁主筋１６、１７と杭主筋１８との錯綜が抑制され、杭４４と基礎梁１４の接合が容易となる。他の構成は第１実施形態と同じであり、説明は省略する。
【００４０】
（第４実施形態）
本発明の第４実施形態に係る杭と基礎梁の接合構造における杭梁仕口部５０について、図４を用いて説明する。  
杭梁仕口部５０は、第１実施形態の杭梁仕口部１０を構成する杭主筋１８に替えて、杭頭主筋５６とし、杭５４の頭部に杭頭鋼管５２を設けた点にいて相違する。相違点を中心に説明する。
ここに、図４（Ａ）は杭梁仕口部５０の基本構成を模式的に示す正面図であり、（Ｂ）はそのＨ２−Ｈ２線断面図であり、（Ｃ）はＨ１−Ｈ１線断面図である。
【００４１】
杭梁仕口部５０は、横方向に配筋される基礎梁１４の梁主筋１６と、基礎梁１４を支持する杭５４から立ち上げられた杭頭主筋５６と、杭頭主筋５６の周囲を囲む帯筋２０と、を有している。
ここに、杭頭主筋５６は、杭主筋４６の上方に、杭主筋４６の上端部から距離Ｈを開けて、杭５４の上部に配筋されている。また、杭主筋４６の上部と杭頭主筋４２の下部は、周囲が杭頭鋼管５２で囲まれている。即ち、杭５４の周囲を囲む杭頭鋼管５２により、杭５４の杭頭部が補強されている。
【００４２】
杭頭主筋５６の下端部は、杭主筋４６の上端部と直接には接続されていない。しかし、杭頭鋼管５２に充填されたコンクリート２６を介して、杭頭主筋５６から杭主筋４６へ、
力を伝達することができる。
杭頭主筋５６は、上述したように、梁主筋１６と交差する位置において、梁主筋１６が配筋される範囲には立上げ本数を疎に、梁主筋１６が配筋されない範囲には立ち上げ本数を密に配筋されている。
【００４３】
具体的には、図４（Ｂ）に示すように、杭頭主筋５６は、４つの疎の配筋部５６Ｓ１〜５６Ｓ４と、４つの密の配筋部５６Ｍ１〜５６Ｍ４と、を有している。また、杭主筋５６は、平面視において、疎の配筋部５６Ｓ１〜５６Ｓ４と、密の配筋部５６Ｍ１〜５６Ｍ４と、を八角形の各辺に交互に配置した構成とされている。
【００４４】
これにより、対向する疎の第１配筋部５６Ｓ１、５６Ｓ３と、疎の第２配筋部５６Ｓ２、５６Ｓ４と、が交差して配置され、対向する密の第１配筋部５６Ｍ１、５６Ｍ３と、密の第２配筋部５６Ｍ２、５６Ｍ４と、が交差して配置される。
また、杭頭主筋５６の周囲は帯筋２０で八角形に囲まれ、杭頭主筋５６と帯筋２０が結束される。
【００４５】
八角形に配置された杭頭主筋５６において、対向する疎の第１配筋部５６Ｓ１、５６Ｓ３がＸ方向に配置され、対向する疎の第２配筋部５６Ｓ２、５６Ｓ４がＹ方向に配置されている。
これにより、基礎梁１４の梁主筋１６をＸ方向に配筋し、基礎梁１４と交差する、基礎梁の梁主筋１７をＹ方向に配筋すれば、梁主筋１６、１７と杭頭主筋４２との錯綜が抑制され、杭５４と基礎梁１４の接合が容易となる。
【００４６】
なお、本実施形態においては、杭頭主筋５６は、杭頭主筋５６の周囲が帯筋２０で八角形に囲まれ、杭主筋１８と帯筋２０が結束された構成で説明したが、これに限定されることはなく、第２実施形態で説明した構成としてもよい。
【００４７】
即ち、図２（Ｂ）に示すように、杭頭主筋５６の周囲を囲む帯筋の経路を、帯筋２２、２３の２経路に分けてもよい。これにより、密の第１配筋部５６Ｍ１、５６Ｍ３、及び密の第２配筋部５６Ｍ２、５６Ｍ４の長手方向と４５度傾いた２方向が、それぞれ、疎の第１配筋部５６Ｓ１、５６Ｓ３、及び疎の第２配筋部５６Ｓ２、５６Ｓ４となる。
【００４８】
これにより、疎の第１配筋部５６Ｓ１、５６Ｓ３がＸ方向に配筋され、疎の第２配筋部５６Ｓ２、５６Ｓ４がＹ方向に配筋されれば、基礎梁１４の梁主筋１６をＸ方向に配筋し、基礎梁１４と交差する基礎梁の梁主筋１７を、Ｙ方向に配筋することで、梁主筋１６、１７と杭主筋１８との錯綜が抑制され、杭４４と基礎梁１４の接合が容易となる。
他の構成は第１実施形態と同じであり、説明は省略する。
【符号の説明】
【００４９】
１０  杭梁仕口部（杭と基礎梁の接合構造）
１２  杭
１４  基礎梁
１６  梁主筋
１８  杭主筋（疎の配筋部、密の配筋部）
２０  帯筋（第１帯筋）
２２  帯筋（第２帯筋）
２３  帯筋（第３帯筋）
３０  杭梁仕口部（杭と基礎梁の接合構造）
４０  杭梁仕口部（杭と基礎梁の接合構造）
４２  杭頭主筋（疎の配筋部、密の配筋部）
４４  杭
５０  杭梁仕口部（杭と基礎梁の接合構造）
５２  杭頭鋼管
５４  杭
５６  杭頭主筋（疎の配筋部、密の配筋部）
【図１】
2015094078.tif 000003
【図２】
2015094078.tif 000004
【図３】
2015094078.tif 000005
【図４】
2015094078.tif 000006